(57)【要約】【課題】被測定部位に対する位置ずれや圧迫ロスの発生を防止できる血圧測定用カフを提供すること。【解決手段】この発明の血圧測定用カフ２０は、実質的に丸棒状で長手方向９０ｃに延在し、長手方向９０ｃに沿って一方の側９０ｅから他方の側９０ｆへ向かって次第に細くなっている被測定部位９０に装着される。被測定部位９０に接すべき内布２０Ｂとこの内布に対向する外布２０Ａとで空気袋２２を内包してなり、被測定部位９０を周方向に沿って取り巻いて装着される帯状体１１を備える。帯状体１１のうち、厚さ方向に関して外布２０Ａと空気袋２２との間で、かつ、周方向に関して少なくとも一部に相当する領域に設けられた板部材４０を備える。板部材４０の厚さは、長手方向９０ｃに沿って一方の側９０ｅから他方の側９０ｆへ向かって次第に薄くなっている。【選択図】図１５
2015123356.tif 000002
【特許請求の範囲】
【請求項１】
実質的に丸棒状で長手方向に延在し、上記長手方向に沿って一方の側から他方の側へ向かって次第に細くなっている被測定部位に装着される血圧測定用カフであって、
上記被測定部位に接すべき内布とこの内布に対向する外布とで空気袋を内包してなり、上記被測定部位を周方向に沿って取り巻く帯状体と、
上記帯状体のうち、厚さ方向に関して上記外布と上記空気袋との間で、かつ、上記周方向に関して少なくとも一部に相当する領域に設けられた板部材とを備え、
上記板部材の厚さは、上記長手方向に沿って上記一方の側から上記他方の側へ向かって次第に薄くなっていることを特徴とする血圧測定用カフ。
【請求項２】
請求項１に記載の血圧測定用カフにおいて、
上記板部材の厚さが上記長手方向に沿って上記一方の側から上記他方の側へ向かって次第に薄くなっている程度は、上記被測定部位が上記長手方向に沿って上記一方の側から上記他方の側へ向かって次第に細くなっている程度に応じて設定されていることを特徴とする血圧測定用カフ。
【請求項３】
請求項１または２に記載の血圧測定用カフにおいて、
上記被測定部位は手首であり、
上記板部材は、上記手首の周りのうち手のひらまたは手の甲に対応する領域のみに対向して設けられていることを特徴とする血圧測定用カフ。
【請求項４】
請求項３に記載の血圧測定用カフにおいて、
上記板部材は、上記周方向に関して上記手のひらまたは手の甲に対応する領域の外周面に沿う曲率半径で湾曲していることを特徴とする血圧測定用カフ。
【請求項５】
請求項１から３までのいずれか一つに記載の血圧測定用カフにおいて、
上記板部材は、上記周方向に関して平坦であることを特徴とする血圧測定用カフ。
【請求項６】
請求項１から５までのいずれか一つに記載の血圧測定用カフにおいて、
上記板部材の周方向寸法は、上記長手方向に関して上記一方の側の端部から上記他方の側の端部に至るまで、一定になっていることを特徴とする血圧測定用カフ。
【請求項７】
請求項１から５までのいずれか一つに記載の血圧測定用カフにおいて、
上記板部材の周方向寸法は、上記長手方向に関して上記一方の側から上記他方の側へ向かって、次第に小さくなっていることを特徴とする血圧測定用カフ。
【請求項８】
請求項１から７までのいずれか一つに記載の血圧測定用カフにおいて、
上記板部材は弾性を有する材料からなることを特徴とする血圧測定用カフ。
【請求項９】
請求項１から８までのいずれか一つに記載の血圧測定用カフと、血圧測定のための要素を内蔵した本体とを備えた血圧計。
【請求項１０】
請求項９に記載の血圧計において、
上記カフの上記板部材は、上記カフと上記本体とを連結して一体化するための要素を備えていることを特徴とする血圧計。
【発明の詳細な説明】
【技術分野】
【０００１】
この発明は血圧測定用カフに関し、より詳しくは、血圧測定のために被測定者の腕や手首などの被測定部位を取り巻いて圧迫するカフに関する。
【０００２】
また、この発明は、そのような血圧測定用カフを備えた血圧計に関する。
【背景技術】
【０００３】
従来、この種の血圧計としては、例えば特許文献１（特開２００６−１４９６８２号公報）に開示されているように、空気袋を内蔵し被測定部位としての手首に巻き付けられるカフと、このカフと一体に結合された血圧計本体とを備えた手首式血圧計が知られている。
【先行技術文献】
【特許文献】
【０００４】
【特許文献１】特開２００６−１４９６８２号公報
【発明の概要】
【発明が解決しようとする課題】
【０００５】
ところで、図２３に模式的に示すように、被測定部位としての手首９０は、略丸棒状で、肘側９０ｅから手側９０ｆへ向かって次第に細くなっている。このため、従来の手首式血圧計（矩形の枠１１０は、この例では血圧計本体を模式的に示す。）では、手首にカフ１２０を巻き付けた状態で、血圧測定のためにカフ１２０（より正確には空気袋）に空気が供給されると、カフ１２０の外布１２０Ａは、手首の長手方向９０ｃに対して手側９０ｆへ向かって傾斜した外向きの力ｆ１，ｆ１，…を受ける。Ｆ１は、それらの外向きの力ｆ１，ｆ１，…を合わせた合力を示している。外向きの力Ｆ１のうち手首の長手方向９０ｃに対して垂直な成分Ｆ１ｒは手首の周りに関して合わせると打ち消され、外向きの力Ｆ１のうち手首の長手方向９０ｃに対して平行な成分Ｆ１ｙが残る。一方、カフ１２０の内布１２０Ｂは、手首の長手方向９０ｃに対して肘側９０ｅへ向かって傾斜した内向きの力（合力）Ｆ２を受ける。内向きの力Ｆ２のうち手首の長手方向９０ｃに対して垂直な成分Ｆ２ｒは手首の周りに関して合わせると打ち消され、外向きの力Ｆ２のうち手首の長手方向９０ｃに対して平行な成分Ｆ２ｙが残る。図２４に模式的に示すように、カフ１２０の内布１２０Ｂは、この成分Ｆ２ｙを打ち消す向きに、被測定部位９０から摩擦力Ｆ２ｙ＃を受ける。この結果、カフ１２０は、外布１２０Ａと内布１２０Ｂとが循環する態様で、手側９０ｆへ向かって移動する（矢印Ｃで示す向きの位置ずれ）。また、この位置ずれに伴って、図２４中に２点鎖線１２０′で示すように、空気袋の容積が拡大して圧迫ロスが発生する。これらの結果、被測定部位の動脈を適切に圧迫できないという問題がある。
【０００６】
そこで、この発明の課題は、被測定部位に対する位置ずれ（以下、単に「位置ずれ」という。）や圧迫ロスの発生を防止できる血圧測定用カフを提供することにある。
【０００７】
また、この発明の課題は、そのようなカフを備えた血圧計を提供することにある。
【課題を解決するための手段】
【０００８】
上記課題を解決するため、この発明の血圧測定用カフは、
実質的に丸棒状で長手方向に延在し、上記長手方向に沿って一方の側から他方の側へ向かって次第に細くなっている被測定部位に装着される血圧測定用カフであって、
上記被測定部位に接すべき内布とこの内布に対向する外布とで空気袋を内包してなり、上記被測定部位を周方向に沿って取り巻く帯状体と、
上記帯状体のうち、厚さ方向に関して上記外布と上記空気袋との間で、かつ、上記周方向に関して少なくとも一部に相当する領域に設けられた板部材とを備え、
上記板部材の厚さは、上記長手方向に沿って上記一方の側から上記他方の側へ向かって次第に薄くなっていることを特徴とする。
【０００９】
本明細書で、「被測定部位」とは、被測定者の血圧を測定するために、手首、上腕等のカフで取り巻くことが可能な部位を指す。特に、本発明の血圧測定用カフが装着される被測定部位は、実質的に丸棒状で、長手方向に沿って一方の側から他方の側へ向かって次第に細くなっている。
【００１０】
また、「丸棒状」とは、長手方向に延在し、その長手方向に対して垂直な断面が円、楕円、長円またはそれらに類似の実質的に丸い輪郭を有する形状を意味する。
【００１１】
帯状体が「空気袋を内包」するとは、空気袋の実体部分、すなわち空気室が、帯状体に内包されていることを意味する。
【００１２】
また、「内布」および「外布」は、布だけではなく、一層あるいは複数層の樹脂からなっていても良い。一般に、被測定部位を圧迫するために、内布は伸縮性が大きく、外布は実質的に非伸縮性（または内布に比して伸縮性が小さく）に設定される。
【００１３】
この発明の血圧測定用カフは、実質的に丸棒状で長手方向に延在し、上記長手方向に沿って一方の側から他方の側へ向かって次第に細くなっている被測定部位に装着される。このカフの上記被測定部位に対する装着状態では、上記被測定部位に接すべき内布とこの内布に対向する外布とで空気袋を内包してなる帯状体が、上記被測定部位を周方向に沿って取り巻く。
【００１４】
この装着状態で、血圧測定のためにカフ（より正確には空気袋）に空気が供給されると、上記空気袋が膨らんで、厚さ方向に関して上記外布と上記空気袋との間に設けられた板部材が、上記空気袋から外向きの力を受ける。それとともに、上記外布が外向きの力を受ける。
【００１５】
すると、上記外布は、上記被測定部位の長手方向に対して垂直に切断した断面では真円になろうとし、上記被測定部位の長手方向に沿って切断した断面では、上記被測定部位の外周面と平行を維持する。これに伴って、上記被測定部位の長手方向に沿って切断した断面では、上記板部材の上記外布側の面は上記被測定部位の外周面と平行になる。ここで、上記板部材の厚さは、上記長手方向に沿って上記一方の側から上記他方の側へ向かって次第に薄くなっている。したがって、上記板部材の上記空気袋側の面は、上記被測定部位の外周面と平行というよりは、むしろ上記被測定部位の長手方向と平行か又は平行に近くなる。
【００１６】
この結果、上記板部材が上記空気袋から受ける外向きの力は、上記被測定部位の長手方向と実質的に垂直か又は垂直に近くなる。したがって、上記外向きの力の上記被測定部位の長手方向に対して平行な成分は、ゼロか又は従来例に比して少なくなる。
【００１７】
上記内布は、従来例と同様に、上記空気袋から内向きの力を受ける。この内向きの力は、上記長手方向に対して平行な成分を有する。しかし、この成分は、上記カフ（内布）と上記被測定部位との間の摩擦力によって打ち消される。
【００１８】
この結果、このカフは、上記空気袋が膨らんだとしても、実際上、上記長手方向に沿って上記一方の側から上記他方の側へ向かって位置ずれしなくなる。また、カフが位置ずれしなくなるのに伴って、圧迫ロスが発生することもなくなる。このように、この血圧測定用カフによれば、位置ずれや圧迫ロスの発生を防止できる。
【００１９】
一実施形態の血圧測定用カフでは、上記板部材の厚さが上記長手方向に沿って上記一方の側から上記他方の側へ向かって次第に薄くなっている程度は、上記被測定部位が上記長手方向に沿って上記一方の側から上記他方の側へ向かって次第に細くなっている程度に応じて設定されていることを特徴とする。
【００２０】
この一実施形態の血圧測定用カフでは、上記板部材の厚さが上記長手方向に沿って上記一方の側から上記他方の側へ向かって次第に薄くなっている程度は、上記被測定部位が上記長手方向に沿って上記一方の側から上記他方の側へ向かって次第に細くなっている程度に応じて設定されている。この結果、上記空気袋が膨らんだとき、上記板部材が上記空気袋から受ける外向きの力は、上記被測定部位の長手方向に対して実質的に垂直になる。したがって、上記外向きの力の上記被測定部位の長手方向に対して平行な成分は、実質的にゼロになる。この結果、このカフは、上記空気袋が膨らんだとしても、より確実に位置ずれしなくなる。
【００２１】
一実施形態の血圧測定用カフでは、
上記被測定部位は手首であり、
上記板部材は、上記手首の周りのうち手のひらまたは手の甲に対応する領域のみに対向して設けられていることを特徴とする。
【００２２】
本明細書で、「手首」とは、前腕のうち最も太い部分よりも末端側の手に近い部位を指す。
【００２３】
上記被測定部位が手首である場合、上記手首の周りのうち手のひらまたは手の甲に対応する領域（これらを適宜「手のひら対応領域」、「手の甲対応領域」と呼ぶ。）では、それ以外の領域に比して、上記長手方向に沿って上記一方の側から上記他方の側へ向かって次第に細くなる程度が大きい。このため、従来例では、カフの位置ずれや圧迫ロスが特に発生し易いと言える。ここで、この一実施形態の血圧測定用カフでは、上記板部材は、上記手首の周りのうち手のひら対応領域または手の甲対応領域に対向して設けられている。したがって、カフの位置ずれや圧迫ロスの発生を効果的に防止できる。また、上記板部材は、上記手首の周りのうち手のひら対応領域または手の甲対応領域（曲率半径が大きい領域）のみに対向して設けられているので、上記手首の周りに上記カフを取り巻いて装着するときに、上記板部材が上記カフの柔軟性を損なって邪魔になることが無い。したがって、上記手首に対して上記カフを容易に装着することができる。
【００２４】
一実施形態の血圧測定用カフでは、上記板部材は、上記周方向に関して上記手のひらまたは手の甲に対応する領域の外周面に沿う曲率半径で湾曲していることを特徴とする。
【００２５】
上記空気袋が膨らんだとき、上記被測定部位の長手方向に対して垂直に切断した断面で見て、上記外布が真円になろうとする。そのままでは、上記空気袋内の空気層の厚さ（特に、曲率半径が比較的大きい上記手のひら対応領域または手の甲対応領域に隣接した部分）が広がって、上記空気袋に供給すべき空気量が多くなり、ポンプ等の負荷が大きくなる。ここで、この一実施形態の血圧測定用カフでは、上記板部材は、上記周方向に関して上記手のひらまたは手の甲に対応する領域（曲率半径が比較的大きい）の外周面に沿う曲率半径で湾曲している。したがって、上記板部材を上記外布に比して撓み難い弾性材料で構成し上記外布に接着しておけば、上記被測定部位の長手方向に対して垂直に切断した断面で上記外布が真円になろうとするのを抑制できる。また、上記空気袋内の空気層の厚さを、上記板部材の厚さ分だけ実質的に減らすことができる。これらの結果、上記空気袋に供給すべき空気量を減らして、ポンプ等の負荷を低減できる。
【００２６】
一実施形態の血圧測定用カフでは、上記板部材は、上記周方向に関して平坦であることを特徴とする。
【００２７】
この一実施形態の血圧測定用カフでは、上記板部材は、上記周方向に関して平坦である。したがって、上記板部材が上記周方向に関して湾曲している場合に比して、上記板部材を容易に製造可能となる。
【００２８】
一実施形態の血圧測定用カフでは、上記板部材の周方向寸法は、上記長手方向に関して上記一方の側の端部から上記他方の側の端部に至るまで、一定になっていることを特徴とする。
【００２９】
この一実施形態の血圧測定用カフでは、上記板部材の周方向寸法は、上記長手方向に関して上記一方の側の端部から上記他方の側の端部に至るまで、一定になっている。したがって、上記板部材の周方向寸法が変化している場合に比して、上記板部材を容易に製造可能となる。
【００３０】
一実施形態の血圧測定用カフでは、上記板部材の周方向寸法は、上記長手方向に関して上記一方の側から上記他方の側へ向かって、次第に小さくなっていることを特徴とする。
【００３１】
この一実施形態の血圧測定用カフでは、上記板部材の周方向寸法は、上記長手方向に関して上記一方の側から上記他方の側へ向かって、次第に小さくなっている。したがって、上記被測定部位に装着された上記カフを上記板部材が設けられた側から見たとき、上記被測定部位の輪郭線内に上記板部材を収め易い。そのようにした場合、上記被測定部位の輪郭線を越えて上記板部材が突出して、このカフによる上記被測定部位の圧迫を妨げるような事態が防止される。したがって、このカフによって、上記被測定部位の動脈を適切に圧迫することができる。
【００３２】
また、そのように上記板部材の周方向寸法が、上記長手方向に関して上記一方の側から上記他方の側へ向かって、次第に小さくなっていれば、このカフの組立段階で、上記帯状体に対して上記板部材を取り付ける向きが分かり易い。すなわち、上記帯状体のうち装着状態で上記被測定部位の上記一方の側（太い側）に対応する側に、上記板部材の周方向寸法が大きい端部が来て、上記帯状体のうち装着状態で上記被測定部位の上記他方の側（細い側）に対応する側に、上記板部材の周方向寸法が小さい端部が来る向きに、上記板部材を取り付ければよい。したがって、上記カフの組立段階での作業ミスを低減できる。
【００３３】
一実施形態の血圧測定用カフでは、上記板部材は弾性を有する材料からなることを特徴とする。
【００３４】
この一実施形態の血圧測定用カフでは、上記板部材は弾性を有する材料からなる。したがって、上記被測定部位の周りに上記カフを取り巻いて装着するときに、上記板部材が上記被測定部位に上記内布と上記空気袋を介して接触しても、異物感が少なく、被測定者に痛みを与えない。
【００３５】
別の局面では、この発明の血圧計は、上記血圧測定用カフと、血圧測定のための要素を内蔵した本体とを備える。
【００３６】
本明細書で、「血圧測定のための要素」とは、上記カフの上記空気袋に空気を供給するためのポンプ、このポンプを駆動するための制御を行う制御部などを指す。
【００３７】
この発明の血圧計は、上記血圧測定用カフと、血圧測定のための要素を内蔵した本体とを備えている。したがって、上記カフの位置ずれや圧迫ロスの発生を防止できる。
【００３８】
一実施形態の血圧計では、上記カフの上記板部材は、上記カフと上記本体とを連結して一体化するための要素を備えていることを特徴とする。
【００３９】
この一実施形態の血圧計では、上記カフの上記板部材は、上記カフと上記本体とを連結して一体化するための要素を備えている。すなわち、上記板部材は、上記本体と上記カフとを連結して一体化する機能と、上記カフの位置ずれや圧迫ロスの発生を防止する機能との２つの機能を果たす。したがって、それら２つの機能のために別々の部材を用いる場合に比して、部材数の増加を防止できる。
【発明の効果】
【００４０】
以上より明らかなように、この発明の血圧測定用カフによれば、位置ずれや圧迫ロスの発生を防止できる。
【００４１】
また、この発明の血圧計によれば、カフの位置ずれや圧迫ロスの発生を防止できる。
【図面の簡単な説明】
【００４２】
【図１】この発明の一実施形態の血圧測定用カフを有する血圧計の外観を示す斜視図である。
【図２】上記血圧計が被測定部位（図示せず）に装着されたときの状態を示す斜視図である。
【図３】上記血圧計の概略的なブロック構成を示す図である。
【図４】上記血圧計の動作フローを示す図である。
【図５】上記血圧計を、カフを展開した状態で本体が設けられた側から見たときの平面レイアウトを模式的に図である。
【図６】上記血圧計を、カフを展開した状態で図５とは反対の側から見たときの平面レイアウトを図である。
【図７】図５におけるＡ−Ａ線断面を模式的に示す図である。
【図８】上記血圧計の本体とカフとを連結するための本体側の要素を示す図である。
【図９】上記血圧計の本体とカフとを連結するためのカフ側の要素を示す図である。
【図１０】上記カフが備える一例の板部材を斜めから見たところを示す図である。
【図１１】上記カフが備える別の例の板部材を斜めから見たところを示す図である。
【図１２】上記カフが備えるさらに別の例の板部材を斜めから見たところを示す図である。
【図１３】上記カフが備えるさらに別の例の板部材を斜めから見たところを示す図である。
【図１４】図１０に示す板部材を備えるカフが本体とともに手首に装着された測定中の態様を模式的に示す横断面図である。
【図１５】図１０に示す板部材を備えるカフが本体とともに手首に装着された測定中の態様を模式的に示す縦断面図である。
【図１６】図１１に示す板部材を備えるカフが本体とともに手首に装着された測定中の態様を模式的に示す横断面図である。
【図１７】図１０に示す板部材と図１１に示す板部材との両方を備えるカフが本体とともに手首に装着された測定中の態様を模式的に示す横断面図である。
【図１８】図１０に示す板部材と図１１に示す板部材との両方を備えるカフが本体とともに手首に装着された測定中の態様を模式的に示す縦断面図である。
【図１９】図１２に示す板部材を備えるカフが本体とともに手首に装着された測定中の態様を模式的に示す横断面図である。
【図２０】図１３に示す板部材を備えるカフが本体とともに手首に装着された測定中の態様を模式的に示す横断面図である。
【図２１】図１０に示す板部材を含む上記カフが手首に装着された状態で、その板部材が設けられた側から見たときの態様を模式的に示す図である。
【図２２】図１３に示す板部材を含む上記カフが手首に装着された状態で、その板部材が設けられた側から見たときの態様を模式的に示す図である。
【図２３】従来の血圧測定用カフが有する位置ずれの問題を説明する図である。
【図２４】従来の血圧測定用カフが有する位置ずれの問題を説明する図である。
【発明を実施するための形態】
【００４３】
以下、この発明の実施の形態を、図面を参照しながら詳細に説明する。
【００４４】
図１は、この発明の一実施形態の血圧計（全体を符号１で示す。）の外観を示している。この血圧計１は、大別して、被測定部位としての手首９０（例えば、図１４参照）に巻き付けられる血圧測定用カフ２０と、このカフ２０に一体に取り付けられ、血圧測定のための要素を内蔵した本体１０とを有している。
【００４５】
図５は、血圧計１を、カフ２０を展開した状態で本体１０が設けられた側（図１における外周側に相当）から見たときの平面レイアウトを模式的に示している。また、図６は、血圧計１を、カフ２０を展開した状態で図５とは反対の側（図１における内周側に相当）から見たときの平面レイアウトを模式的に示している。
【００４６】
これらの図５、図６によって良く分かるように、カフ２０は、外布２０Ａと内布２０Ｂとをそれらの周縁に沿って沿って縫製して袋状の帯状体１１として形成されている。被測定部位を圧迫し易いように、内布２０Ｂは伸縮性が大きく、外布２０Ａは実質的に非伸縮性（または内布２０Ｂに比して伸縮性が小さく）に設定されている。
【００４７】
カフ２０は、このカフ２０の長手方向（図１における周方向に相当）に沿って、本体１０に沿った第２部分２０Ｃと、この第２部分２０Ｃから一方の側（図５における右側）へ延在する第１部分２０Ｅと、第２部分２０Ｃから他方の側（図５における左側）へ延在する第３部分２０Ｆとを有している。
【００４８】
第３部分２０Ｆは、図５、図６において下に凸に湾曲している。この湾曲の向きは、このカフ２０が、図５、図６において手首９０の肘側（太い側）９０ｅが下に来て、手首９０の手側（細い側）９０ｆが上に来る態様で、手首９０を取り巻いて装着されることを想定したものである。
【００４９】
第１部分２０Ｅの外周面に、実質的に長円形状をもつリング８０が取り付けられている。このリング８０の長手方向は、カフ２０の長手方向に対して交差している。このリング８０の長手方向の寸法は、カフ２０（特に第３部分２０Ｆ）を容易に通せるように、カフ２０の幅方向寸法Ｗよりも若干大きく設定されている。
【００５０】
カフ２０の第３部分２０Ｆのうち本体１０寄りの直近部分の表面に面状ファスナ７０が取り付けられている。この例では、面状ファスナ７０は、その表面に図示しない多数の微細なフックを有している。第３部分２０Ｆのうち直近部分（面状ファスナ７０）以外の部分の外周面は、上記フックと係合する図示しない多数の微細なループを有している。
【００５１】
カフ２０には、第１部分２０Ｅから第３部分２０Ｆにまたがって、手首９０を圧迫するための空気袋２２が内包されている。また、図７（図５中のＡ−Ａ線断面に相当）に示すように、第２部分２０Ｃには、厚さ方向に関して外布２０Ａと空気袋２２との間に、板部材４０が介挿されている。この板部材４０は、本体１０とカフ２０とを連結して一体化するとともに、カフ２０の位置ずれや圧迫ロスの発生を防止するために働く（詳しくは後述する。）。
【００５２】
図１０は、この板部材４０を単独で斜めから見たところを示している。なお、図１０中には、理解の容易のために、ＸＹＺ直交座標系を併せて示している（図１１〜図１４において同様。）。Ｘ方向は、図１におけるカフの周方向に相当する。Ｙ方向は、カフの幅方向（被測定部位の長手方向に相当）に相当する。Ｚ方向は、カフの厚さ方向に相当する。
【００５３】
この板部材４０は、板状の主部４０Ｍと、この主部４０Ｍの片側の面（図１０における上面）４０ａに形成されたフック４０Ｘ，４０Ｙ，４０Ｚとを備えている。図１０における主部４０Ｍの上面４０ａが外布２０Ａの内面に接着されるべき面、下面４０ｂが空気袋２２を介して手首９０の外周面に対向すべき面に相当する。この板部材４０は、プラスチック材料（この例では、ＡＢＳ（アクリロニトリルブタジエンスチレン共重合体）樹脂）からなり、押出成形によって一体に形成されている。この板部材４０のプラスチック材料は、外布２０Ａに比して撓み難い弾性を有している。
【００５４】
この例では、主部４０Ｍは、Ｚ方向から見たとき、実質的に台形の輪郭を有している。＋Ｙ側の辺４０ｄの寸法ｐ２は、−Ｙ側の辺４０ｃの寸法ｐ１よりも小さく設定されている。２つの斜辺（±Ｘ側の辺）４０ｅ，４０ｆは対称に設定されている。この結果、主部４０ＭのＸ方向（被測定部位としての手首９０の周方向に相当）の寸法は、−Ｙ側から＋Ｙ側へ向かって（すなわち、図１５における肘側９０ｅから手側９０ｆへ向かって）次第に小さくなっている。この例では、寸法ｐ１は、ヒトの平均的な手首の幅に応じて数ｃｍ程度（例えば３ｃｍ〜８ｃｍの範囲内）に設定されている。寸法ｐ２は、寸法ｐ１よりも１ｃｍ程度（例えば０．５ｃｍ〜２ｃｍ）小さく設定されている。辺４０ｃと辺４０ｄとの間の寸法ｄは、例えば数ｃｍ〜１０ｃｍ程度の範囲内に設定されている。
【００５５】
主部４０Ｍは、手首９０の対向すべき外周面に沿うように一定の曲率半径Ｒで（図１０において上に凸に）湾曲している。この例では、主部４０Ｍの曲率半径Ｒは、ヒトの平均的な手首（後述の手のひら対応領域９０ａまたは手の甲対応領域９０ｂ）の曲率半径に応じて数ｃｍ程度（例えば３ｃｍ〜１０ｃｍの範囲内）に設定されている。
【００５６】
主部４０Ｍの厚さは、−Ｙ側から＋Ｙ側へ向かって（すなわち、図１５における肘側９０ｅから手側９０ｆへ向かって）次第に、この例では一定の勾配で、薄くなっている。この例では、−Ｙ側の辺４０ｃの厚さｔ１は３ｍｍ、＋Ｙ側の辺４０ｄの厚さｔ２は１ｍｍにそれぞれ設定されている。この板部材４０（主部４０Ｍ）の厚さが長手方向９０ｃに沿って−Ｙ側から＋Ｙ側へ向かって次第に薄くなっている程度は、一般的なヒトの手首９０が肘側９０ｅから手側９０ｆへ向かって次第に細くなっている程度に応じて設定されている。すなわち、辺４０ｃの厚さｔ１と辺４０ｄの厚さｔ２との差（この例では２ｍｍ）は、辺４０ｃと辺４０ｄとの間（寸法ｄ）で、ヒトの平均的な手首９０の半径が約２ｍｍ小さくなることに応じている。
【００５７】
主部４０Ｍには、Ｘ方向に関して略中央の位置に、２つの円形の貫通孔４０Ａ，４０ＢがＹ方向に沿って並べて設けられている。これらの貫通孔４０Ａ，４０Ｂは、本体１０とカフ２０の空気袋２２とを連通するエア配管（後述）を通すために用いられる。
【００５８】
フック４０Ｘは、主部４０Ｍの片側の面（図１０における上面）内で、Ｘ方向に関して貫通孔４０Ａ，４０Ｂよりも手前側（＋Ｘ側）で、Ｙ方向に関して貫通孔４０Ａ，４０Ｂの中間に相当する位置に設けられている。フック４０Ｙ，４０Ｚは、Ｘ方向に関して貫通孔４０Ａ，４０Ｂよりも奥側（−Ｘ側）で、それぞれＹ方向に関して貫通孔４０Ａ，４０Ｂよりもやや外寄り（−Ｙ寄り、＋Ｙ寄り）に相当する位置に設けられている。これらのフック４０Ｘ，４０Ｙ，４０Ｚは、主部４０Ｍの片側の面から立ち上がっている。フック４０Ｘの先端は−Ｘ側へ屈曲する一方、フック４０Ｙ，４０Ｚの先端は＋Ｘ側へ屈曲している。これらのフック４０Ｘ，４０Ｙ，４０Ｚは、本体１０とカフ２０とを連結して一体化するための要素として用いられる。
【００５９】
図８に示すように、本体１０のカフ２０に対向する面（図１における下面）には、カフ２０の空気袋２２と連通するためのエア配管１０Ａ，１０Ｂが設けられるとともに、本体１０をカフ２０に連結するための穴１０Ｘ，１０Ｙ，１０Ｚが形成されている。一方、カフ２０の第２部分２０Ｃには、外布２０Ａに設けられた開口を貫通して、空気袋２２に連なるニップル管２２Ａ，２２Ｂが露出するとともに、板部材４０のフック４０Ｘ，４０Ｙ，４０Ｚが露出している。板部材４０の主部４０Ｍのフック側の面（図１０における上面４０ａ）は、例えば図示しない両面粘着テープを用いて、外布２０Ａの内面に接着されている。
【００６０】
本体１０とカフ２０とを連結する際には、本体１０の穴１０Ｘ，１０Ｙ，１０Ｚに板部材４０のフック４０Ｘ，４０Ｙ，４０Ｚがそれぞれ位置合わせして係合される。それとともに、本体１０のエア配管１０Ａ，１０Ｂが空気袋２２に連なるニップル管２２Ａ，２２Ｂに気密に嵌合される。このようにして、図１及び図７に示したように、本体１０とカフ２０とが連結されて、一体化される。
【００６１】
図３は、血圧計１のカフ２０と本体１０の概略的なブロック構成を示している。この血圧計１は、本体１０に搭載された、制御部としてのＣＰＵ（Central Processing Unit）１００、表示器５０、記憶部としてのメモリ５１、操作部５２、電源部５３、ポンプ３２、弁３３、および圧力センサ３１を含む。また、本体１０は、この本体１０に搭載された、圧力センサ３１からの出力を周波数に変換する発振回路３１０、ポンプ３２を駆動するポンプ駆動回路３２０、弁３３を駆動する弁駆動回路３３０を有する。
【００６２】
上記表示器５０は、ディスプレイおよびインジケータ等を含み、ＣＰＵ１００からの制御信号に従って所定の情報を表示する。
【００６３】
上記操作部５２は、電源部５３をＯＮ（オン）またはＯＦＦ（オフ）するための指示の入力を受け付ける電源スイッチ５２Ａと、血圧の測定開始の指示を受け付けるための測定スイッチ５２Ｂとを有する。これらのスイッチ５２Ａ，５２Ｂは、ユーザによる指示に応じた操作信号をＣＰＵ１００に入力する。
【００６４】
上記メモリ５１は、血圧計１を制御するためのプログラムのデータ、血圧計１を制御するために用いられるデータ、血圧計１の各種機能を設定するための設定データ、および血圧値の測定結果のデータなどを記憶する。また、メモリ５１は、プログラムが実行されるときのワークメモリなどとして用いられる。
【００６５】
上記ＣＰＵ１００は、メモリ５１に記憶された血圧計１を制御するためのプログラムに従って、操作部５１からの操作信号に応じて、ポンプ３２や弁３３を駆動する制御を行う。また、ＣＰＵ１００は、圧力センサ３１からの信号に基づいて、血圧値を算出し、表示器５０およびメモリ５１を制御する。
【００６６】
上記電源部５３は、ＣＰＵ１００、圧力センサ３１、ポンプ３２、弁３３、表示器５０、メモリ５１、発振回路３１０、ポンプ駆動回路３２０、および弁駆動回路３３０の各部に電力を供給する。
【００６７】
上記ポンプ３２は、カフ２０に内包された流体袋２２内の圧力（カフ圧）を加圧するために、流体袋２２に空気を供給する。弁３３は、流体袋２２の空気を排出し、または封入してカフ圧を制御するために開閉される。ポンプ駆動回路３２０は、ポンプ３２をＣＰＵ１００から与えられる制御信号に基づいて駆動する。弁駆動回路３３０は、弁３３をＣＰＵ１００から与えられる制御信号に基づいて開閉する。
【００６８】
上記圧力センサ３１と発振回路３１０は、カフの圧力を検出する圧力検出部として働く。圧力センサ３１（例えば、ピエゾ抵抗式圧力センサ）はエア配管１０Ａを介して、ポンプ３２および弁３３はエア配管１０Ｂを介して、それぞれカフ２０に内包されている流体袋２２に接続されている。この例では、発振回路３１０は、圧力センサ３１からのピエゾ抵抗効果による電気抵抗の変化に基づく電気信号値に基づき発振して、圧力センサ３１の電気信号値に応じた周波数を有する周波数信号をＣＰＵ１００に出力する。
【００６９】
血圧計１（カフ２０）を被測定部位としての手首９０に装着する際には、図１中に矢印Ａで示すように、手のひらを上へ向けて手首９０がカフ２０の中に通されて、手首９０に、カフ２０の第２部分２０Ｃが本体１０とともに載せられる。続いて、カフ２０の第３部分２０Ｆのうち本体１０から遠い部分がリング８０を通して、矢印Ｂで示すように図１において斜め右下へ引っ張られるとともに、図２中に矢印Ｃで示すように折り返される。そして、その折り返された部分が面状ファスナ７０に押し付けられて固定される。
【００７０】
ここで、板部材４０（例えば図７参照）は、既述のように弾性を有する材料からなる。したがって、手首９０の周りにカフ２０を取り巻いて装着するときに、板部材４０が手首９０に内布２０Ｂと空気袋２０を介して接触しても、異物感が少なく、被測定者に痛みを与えない。
【００７１】
この血圧計１では、ＣＰＵ１００によって、図４のフローに従ってオシロメトリック法により被験者の血圧値が測定される。
【００７２】
具体的には、電源スイッチ５２ＡがＯＮされた状態で測定スイッチ５２Ｂが押されると、図４に示すように、血圧計１は血圧測定を開始する。血圧測定開始に際して、ＣＰＵ１００は、処理用メモリ領域を初期化し、弁駆動回路３３０に制御信号を出力する。弁駆動回路３３０は、制御信号に基づいて、弁３３を開放してカフ２０の流体袋２２内の空気を排気する。続いて、圧力センサ３１の０ｍｍＨｇの調整を行う制御を行う。
【００７３】
血圧測定を開始すると、まず、ＣＰＵ１００は、弁駆動回路３３０を介して弁３３を閉鎖し、その後、ポンプ駆動回路３２０を介してポンプ３２を駆動して、流体袋２２に空気を送る制御を行う。これにより、流体袋２２を膨張させるとともにカフ圧を徐々に加圧していく（ステップＳＴ１０１）。
【００７４】
カフ圧が加圧されて所定の圧力に達すると（ステップＳＴ１０２でＹＥＳ）、ＣＰＵ１００は、ポンプ駆動回路３２０を介してポンプ３２を停止し、その後、弁駆動回路３３０を介して弁３３を徐々に開放する制御を行う。これにより、流体袋２２を収縮させるとともにカフ圧を徐々に減圧していく（ステップＳＴ１０３）。
【００７５】
ここで、所定の圧力とは、被験者の収縮期血圧よりも十分高い圧力（例えば、収縮期血圧＋３０ｍｍＨｇ）であり、予めメモリ５１に記憶されているか、カフ圧の加圧中にＣＰＵ１００が収縮期血圧を所定の算出式により推定して決定する（例えば特開２００１−７０２６３号公報参照）。
【００７６】
また、減圧速度については、カフの加圧中に目標となる目標減圧速度を設定し、その目標減圧速度になるようにＣＰＵ１００が弁３３の開口度を制御する（同公報参照）。
【００７７】
上記減圧過程において、カフ２０を介して、カフ２０の圧力を表すカフ圧信号（符号Ｐｃで表す。）を圧力センサ３１が検出する。ＣＰＵ１００は、このカフ圧信号Ｐｃに基づいて、オシロメトリック法により後述のアルゴリズムを適用して血圧値（収縮期血圧と拡張期血圧）を算出する（ステップＳＴ１０４）。なお、血圧値の算出は、減圧過程に限らず、加圧過程において行われてもよい。
【００７８】
血圧値を算出して決定すると（ステップＳＴ１０５でＹＥＳ）、ＣＰＵ１００は、算出した血圧値を表示器５０へ表示し（ステップＳＴ１０６）、血圧値をメモリ５１へ保存する制御を行う（ステップＳＴ１０７）。
【００７９】
測定が終了すると、ＣＰＵ１００は、弁駆動回路３３０を介して弁３３を開放し、カフ２０の流体袋２２内の空気を排気する制御を行う（ステップＳＴ１０８）。
【００８０】
図１４、図１５は、血圧計１（カフ２０）が手首９０に装着された測定中の態様を模式的に示している。図１４は手首９０の長手方向に対して垂直に切断した断面（横断面）、図１５は手首の長手方向９０ｃに沿って切断した断面（縦断面）をそれぞれ示している。なお、図１４、図１５では、簡単のため、エア配管１０Ａ，１０Ｂの図示が省略されている。図１４に示すように、手首９０の断面は略楕円形（または長円形）になっている。手首９０の周りのうち手のひらに対応する手のひら対応領域９０ａ、手の甲に対応する手の甲対応領域９０ｂは、それ以外の領域に比して曲率半径が大きくなっている。なお、図１４において、手首９０中に示す○印９１は橈骨動脈、○印９２は尺骨動脈をそれぞれ表している。
【００８１】
この例では、血圧計１の本体１０と板部材４０（特に主部４０Ｍ）は、手首９０の周りのうち手のひら対応領域９０ａに対向している。図１５に示すように、手首９０は、略丸棒状で、長手方向９０ｃに沿って肘側（一方の側）９０ｅから手側（他方の側）９０ｆへ向かって次第に細くなっている。
【００８２】
この装着状態で、血圧測定のためにカフ２０（より正確には空気袋２２）に空気が供給されると、空気袋２２が膨らんで、厚さ方向に関して外布２０Ａと空気袋２２との間に設けられた板部材４０が、図１５中に示すように、空気袋２２から外向きの力ｆ１，ｆ１，…を受ける。Ｆ１は、それらの外向きの力ｆ１，ｆ１，…を合わせた合力を示している。それとともに、外布２０Ａが外向きの力Ｆ１を受ける。
【００８３】
すると、外布２０Ａは、図１４の横断面では真円になろうとし、図１５の縦断面では、手首９０の外周面と平行を維持する。これに伴って、図１５の縦断面では、板部材４０の外布側の面４０ａは手首９０の外周面と平行になる。ここで、板部材４０の厚さは、肘側９０ｅから手側９０ｆへ向かって次第に薄くなっている。したがって、板部材４０の空気袋側の面４０ｂは、手首９０の外周面と平行というよりは、むしろ手首９０の長手方向（中心）９０ｃと平行か又は平行に近くなる。
【００８４】
この結果、図１５に示すように、板部材４０が空気袋２２から受ける外向きの力Ｆ１は、手首９０の長手方向９０ｃと垂直か又は垂直に近くなる。したがって、外向きの力Ｆ１の手首９０の長手方向９０ｃに対して平行な成分（図２３中に示したＦ１ｙ）は、ゼロか又は従来例に比して少なくなる（このため、図１５ではＦ１ｙの図示を省略している。）。
【００８５】
この例では、内布２０Ｂは、従来例と同様に、空気袋２２から内向きの力（図２３中に示したＦ２）を受ける。この内向きの力Ｆ２は、図１５に示すように、長手方向９０ｃに対して平行な成分Ｆ２ｙを有する。しかし、この成分Ｆ２ｙは、カフ２０（内布２０Ｂ）と手首９０との間の摩擦力Ｆ２ｙ＃によって打ち消される。
【００８６】
この結果、このカフ２０は、空気袋２２が膨らんだとしても、実際上、肘側９０ｅから手側９０ｆへ向かって位置ずれしなくなる。また、カフ２０が位置ずれしなくなるのに伴って、圧迫ロスが発生することもなくなる。このように、このカフ２０によれば、位置ずれや圧迫ロスの発生を防止できる。
【００８７】
なお、手首９０の周りで板部材４０が設けられていない領域（この例では、手の甲対応領域９０ｂなど）では、従来例（図２３参照）と同様に、外布２０Ａは、手首の長手方向９０ｃに対して手側９０ｆへ向かって傾斜した外向きの力Ｆ１を受ける。また、内布１２０Ｂは、手首の長手方向９０ｃに対して肘側９０ｅへ向かって傾斜した内向きの力Ｆ２を受ける。しかし、手首９０の周りのうち板部材４０が設けられている領域（この例では、手のひら対応領域９０ａ）でこのカフ２０の位置ずれが抑制されるので、このカフ２０は、実際上、被測定部位（手首９０）に対して位置ずれしなくなる。
【００８８】
特に、上の例では、板部材４０（主部４０Ｍ）の厚さが−Ｙ側から＋Ｙ側へ向かって次第に薄くなっている程度は、一般的なヒトの手首９０が肘側から手側へ向かって次第に細くなっている程度に応じて設定されている。この結果、空気袋２２が膨らんだとき、板部材４０が空気袋２２から受ける外向きの力Ｆ１は、手首９０の長手方向９０ｃに対して実質的に垂直になる。したがって、外向きの力Ｆ１の手首９０の長手方向９０ｃに対して平行な成分Ｆ１ｙ（図２３参照）は、実質的にゼロになる。この結果、このカフ２０は、空気袋２２が膨らんだとしても、より確実に位置ずれしなくなる。
【００８９】
また、被測定部位が手首９０である場合、手首９０の周りのうち手のひら対応領域９０ａ、手の甲対応領域９０ｂでは、それ以外の領域に比して、肘側９０ｅから手側９０ｆへ向かって次第に細くなる程度が大きい。このため、従来例では、カフの位置ずれや圧迫ロスが特に発生し易いと言える。ここで、この例では、板部材４０は、手首９０の周りのうち手のひら対応領域９０ａに対向して設けられている。したがって、カフ２０の位置ずれや圧迫ロスの発生を効果的に防止できる。また、板部材４０は、手首９０の周りのうち手のひら対応領域９０ａ（曲率半径が比較的大きい領域）のみに対向して設けられているので、手首９０の周方向に沿ってカフ２０を取り巻いて装着するときに、板部材４０がカフ２０の柔軟性を損なって邪魔になることが無い。したがって、カフ２０を手首９０に対して容易に装着することができる。
【００９０】
また、空気袋２２が膨らんだとき、図１４の横断面で外布２０Ａが真円になろうとする。そのままでは、空気袋２２内の空気層の厚さ（特に、曲率半径が比較的大きい手のひら対応領域９０ａ、手の甲対応領域９０ｂに隣接した部分）が広がって、空気袋２２に供給すべき空気量が多くなり、ポンプ等の負荷が大きくなる。ここで、このカフ２０では、板部材４０は、手首９０の周りで、曲率半径が比較的大きい手のひら対応領域９０ａの外周面に沿う曲率半径Ｒで湾曲している。また、板部材４０は、外布２０Ａに比して撓み難い弾性材料で構成され、外布２０Ａに接着されている。したがって、図１４の横断面で外布２０Ａが真円になろうとするのを抑制できる。また、空気袋２２内の空気層の厚さを、板部材４０の厚さ分だけ実質的に減らすことができる。これらの結果、空気袋２２に供給すべき空気量を減らして、ポンプ等の負荷を低減できる。
【００９１】
また、このカフ２０では、板部材４０（主部４０Ｍ）の周方向寸法（図１０におけるＸ方向寸法に相当）は、図１５における肘側９０ｅから手側９０ｆへ向かって、次第に小さくなっている。したがって、図２１に示すように手首９０に装着されたカフ２０を板部材４０が設けられた側から見たとき、手首９０の輪郭線９０ＰＴ，９０ＰＴ内に板部材４０を収め易い。そのようにした場合、手首９０の輪郭線９０ＰＴを越えて板部材４０が突出して、このカフ２０による手首９０の圧迫を妨げるような事態が防止される。したがって、このカフ２０によって、手首９０の動脈を適切に圧迫することができる。
【００９２】
また、そのように板部材４０（主部４０Ｍ）の周方向寸法（図１０におけるＸ方向寸法に相当）が肘側９０ｅから手側９０ｆへ向かって次第に小さくなっていれば、このカフ２０の組立段階で、帯状体１１に対して板部材４０を取り付ける向きが分かり易い。すなわち、図５、図６において、帯状体１１のうち装着状態で手首９０の肘側（太い側）９０ｅに対応する側（図５、図６における下側）に、板部材４０の周方向寸法が大きい辺４０ｃが来て、帯状体１１のうち装着状態で手首９０の手側（細い側）９０ｆに対応する側（図５、図６における上側）に、板部材４０の周方向寸法が小さい辺４０ｄが来る向きに、板部材４０を取り付ければよい。したがって、カフ２０の組立段階での作業ミスを低減できる。
【００９３】
また、この例では、板部材４０は、本体１０とカフ２０とを連結して一体化するとともに、カフ２０の位置ずれや圧迫ロスの発生を防止する２つの機能を果たしている。したがって、それら２つの機能のために別々の部材を用いる場合に比して、部材数の増加を防止できる。
【００９４】
（変形例１）
上の例では、板部材４０は、本体１０とカフ２０とを連結して一体化するとともに、カフ２０の位置ずれや圧迫ロスの発生を防止する２つの機能を果たすために設けられたが、これに限られるものではない。例えば図１６に示すように、手のひら対応領域９０ａに専ら本体１０とカフ２０とを連結するための連結板４９を設ける一方、手の甲対応領域９０ｂに専らカフ２０の位置ずれを防止するための板部材４１を設けてもよい。
【００９５】
連結板４９は、一定の厚さを有する平板（偏平な直方体）状の主部４９Ｍと、この主部４９Ｍの片側の面（図１６における上面）４９ａに形成されたフック４９Ｘ，４９Ｙ，４９Ｚとを備えている。図１６における主部４０Ｍの上面４０ａが外布２０Ａの内面に接着され、下面４０ｂが空気袋２２を介して手首９０の外周面に対向している。フック４９Ｘ，４９Ｙ，４９Ｚの構成と配置は、上の例の板部材４０のものと同様になっている。この連結板４９のフック４９Ｘ，４９Ｙ，４９Ｚは、本体１０の穴１０Ｘ，１０Ｙ，１０Ｚにそれぞれ位置合わせして係合される。これにより、本体１０とカフ２０とが連結される。なお、上の例と同様に、本体１０と空気袋２２との間にエア配管１０Ａ，１０Ｂが存在するが、図１６では、簡単のため、それらの図示が省略されている（図１７〜図２０において同様。）。
【００９６】
板部材４１は、図１１に示すように、図１０に示した板部材４０の主部４０Ｍに対して、略上下対称に構成された板状の主部４１Ｍからなっている。図１０における主部４１Ｍの上面４１ａが空気袋２２と内布２０Ｂを介して手首９０の外周面に対向すべき面、下面４１ｂが外布２０Ａの内面に接着されるべき面に相当する。この板部材４１は、専らカフ２０の位置ずれを防止するためのものであるため、フックや貫通孔を有しない。この板部材４１（主部４１Ｍ）は、外布２０Ａに比して撓みがたい弾性を有するプラスチック材料（この例では、ＡＢＳ（アクリロニトリルブタジエンスチレン共重合体）樹脂）からなっている。
【００９７】
主部４１Ｍは、Ｚ方向から見たとき、板部材４０の主部４０Ｍと同じ実質的に台形の輪郭を有している。辺４１ｃの寸法ｐ１、辺４１ｄの寸法ｐ２、２つの斜辺４１ｅ，４１ｆの寸法は、板部材４０の主部４０Ｍの寸法と同じに設定されている。
【００９８】
主部４１Ｍは、手首９０の対向すべき外周面に沿うように一定の曲率半径Ｒ′で（図１１において下に凸に）湾曲している。この例では、主部４１Ｍの曲率半径Ｒ′（絶対値）は、板部材４０の主部４０Ｍの曲率半径Ｒと同じに設定されている。
【００９９】
主部４１Ｍの厚さは、−Ｙ側から＋Ｙ側へ向かって次第に（この例では一定の勾配で）薄くなっている。この例では、−Ｙ側の辺４１ｃの厚さｔ１、＋Ｙ側の辺４１ｄの厚さｔ２は、板部材４０の主部４０Ｍにおけるのと同じに設定されている。
【０１００】
図１６に示すように、血圧計１（カフ２０）が手首９０に装着された状態で、血圧測定のためにカフ２０（より正確には空気袋２２）に空気が供給されると、手首９０の周りで板部材４１が設けられていない領域（この例では、手のひら対応領域９０ａなど）では、従来例（図２３参照）と同様に、外布２０Ａは、手首の長手方向９０ｃに対して手側９０ｆへ向かって傾斜した外向きの力Ｆ１を受ける。また、内布２０Ｂは、手首の長手方向９０ｃに対して肘側９０ｅへ向かって傾斜した内向きの力Ｆ２を受ける。しかし、手首９０の周りのうち板部材４１が設けられている領域（この例では、手の甲対応領域９０ｂ）でこのカフ２０の位置ずれが抑制されるので、このカフ２０は、実際上、肘側９０ｅから手側９０ｆへ向かって位置ずれしなくなる。また、カフ２０が位置ずれしなくなるのに伴って、圧迫ロスが発生することもなくなる。したがって、先の例と同様に、カフ２０の位置ずれや圧迫ロスの発生を防止できる。
【０１０１】
また、この例では、板部材４１は、手首９０の周りのうち手の甲対応領域９０ｂ（被測定部位が肘側９０ｅから手側９０ｆへ向かって次第に細くなる程度が大きい）に対向して設けられている。したがって、先の例で板部材４０が手のひら対応領域９０ａに対向して設けられた場合と同様に、カフ２０の位置ずれや圧迫ロスの発生を効果的に防止できる。また、板部材４１は、手首９０の周りのうち手の甲対応領域９０ｂ（曲率半径が比較的大きい領域）のみに対向して設けられているので、手首９０の周方向に沿ってカフ２０を取り巻いて装着するときに、板部材４０がカフ２０の柔軟性を損なって邪魔になることが無い。したがって、カフ２０を容易に装着することができる。
【０１０２】
また、このカフ２０では、板部材４１は、手首９０の周りで、曲率半径が比較的大きい手の甲対応領域９０ｂの外周面に沿う曲率半径Ｒ′で湾曲している。また、板部材４１は、外布２０Ａに比して撓み難い弾性材料で構成され、外布２０Ａに接着されている。したがって、図１１の断面（手首９０の長手方向９０ｃに対して垂直に切断した断面）で外布２０Ａが真円になろうとするのを抑制できる。また、空気袋２２内の空気層の厚さを、板部材４１の厚さ分だけ実質的に減らすことができる。これらの結果、空気袋２２に供給すべき空気量を減らして、ポンプ等の負荷を低減できる。
【０１０３】
また、先の例の板部材４０について、図２１に示したのと同様に、手首９０を板部材４１が設けられた側から見たとき、手首の輪郭線９０ＰＴ，９０ＰＴ内に板部材４１を収め易い。そのようにした場合、手首９０の輪郭線９０ＰＴを越えて板部材４１が突出して、このカフ２０による手首９０の圧迫を妨げるような事態が防止される。したがって、このカフ２０によって、手首９０の動脈を適切に圧迫することができる。
【０１０４】
また、そのように板部材４１（主部４１Ｍ）の周方向寸法（図１１におけるＸ方向寸法に相当）が、一方の側９０ｅから他方の側９０ｆへ向かって次第に小さくなっていれば、このカフ２０の組立段階で、帯状体１１に対して板部材４０を取り付ける向きが分かり易い。すなわち、図５、図６において、帯状体１１のうち装着状態で手首９０の肘側（太い側）９０ｅに対応する側（図５、図６における下側）に、板部材４１の周方向寸法が大きい辺４１ｃが来て、帯状体１１のうち装着状態で手首９０の手側（細い側）９０ｆに対応する側（図５、図６における上側）に、板部材４１の周方向寸法が小さい辺４１ｄが来る向きに、板部材４１を取り付ければよい。したがって、カフ２０の組立段階での作業ミスを低減できる。
【０１０５】
（変形例２）
上の各例（図１４、図１６の例）では、肘側９０ｅから手側９０ｆへ向かって厚さが次第に薄くなっている板部材を１枚ずつ備えたが、これに限られるものではない。例えば図１７に示すように、手のひら対応領域９０ａに板部材４０を設けるとともに、手の甲対応領域９０ｂに板部材４１を設けてもよい。これらの板部材４０，４１は、それぞれ図１０，図１１によって説明したものである。
【０１０６】
図１７に示すように、血圧計１（カフ２０）が手首９０に装着された状態で、血圧測定のためにカフ２０（より正確には空気袋２２）に空気が供給されると、空気袋２２が膨らんで、手のひら対応領域９０ａに設けられた板部材４０、手の甲対応領域９０ｂに設けられた板部材４１が、図１８中に示すように、それぞれ空気袋２２から外向きの力ｆ１，ｆ１，…を受ける。Ｆ１は、それらの外向きの力ｆ１，ｆ１，…を合わせた合力を示している。
【０１０７】
板部材４０，４１の主部４０Ｍ，４１Ｍの厚さが肘側９０ｅから手側９０ｆへ向かって次第に薄くなっているおかげで、板部材４０，４１が空気袋２２から受ける外向きの力Ｆ１は、手首９０の長手方向９０ｃと垂直か又は垂直に近くなる。したがって、外向きの力Ｆ１の手首９０の長手方向９０ｃに対して平行な成分（図２３中に示したＦ１ｙ）は、ゼロか又は従来例に比して少なくなる（このため、図１８ではＦ１ｙの図示を省略している。）。したがって、この例では、手のひら対応領域９０ａと手の甲対応領域９０ｂとの両方で、このカフ２０を肘側９０ｅから手側９０ｆへ向かって移動させようとする力を解消できる。
【０１０８】
また、この例では、内布２０Ｂは、従来例と同様に、空気袋２２から内向きの力（図２３中に示したＦ２）を受ける。この内向きの力Ｆ２は、図１８に示すように、長手方向９０ｃに対して平行な成分Ｆ２ｙを有する。しかし、この成分Ｆ２ｙは、カフ２０（内布２０Ｂ）と手首９０との間の摩擦力Ｆ２ｙ＃によって打ち消される。
【０１０９】
この結果、このカフ２０が肘側９０ｅから手側９０ｆへ向かって位置ずれするのを、より確実に防止できる。また、カフ２０が位置ずれしなくなるのに伴って、圧迫ロスが発生することもなくなる。このように、この例によれば、位置ずれや圧迫ロスの発生を確実に防止できる。
【０１１０】
（変形例３）
上述の板部材４０，４１は、被測定部位（手首９０）の対向すべき外周面に沿うように湾曲しているものとしたが、これに限られるものではない。
【０１１１】
例えば、図１２に示すように、被測定部位（手首９０）の周方向（図１２におけるＸ方向に相当）に関して平坦な板部材４２を用いてもよい。図１２中の各要素の符号は、図１０中の各要素の符号に含まれた４０を４２に変更して示している。これにより、重複した説明を省略する。なお、図１９は、この板部材４２を含むカフ２０が手首９０に装着された状態の横断面を模式的に示している。
【０１１２】
この板部材４２の構成は、Ｘ方向に関して平坦である点を除いて、図１０に示した板部材４０の構成と同じになっている。特に、板部材４２の主部４２Ｍの厚さは、図１２における−Ｙ側から＋Ｙ側へ向かって（すなわち、図１５における肘側９０ｅから手側９０ｆへ向かって）次第に薄くなっている。したがって、このカフ２０が肘側９０ｅから手側９０ｆへ向かって位置ずれするのを防止できる。また、板部材が周方向に関して湾曲している場合に比して、板部材４２を容易に製造可能となる。
【０１１３】
（変形例４）
上述の板部材４０，４１，４２の周方向寸法は、図１０〜図１２における−Ｙ側から＋Ｙ側へ向かって（すなわち、図１５における肘側９０ｅから手側９０ｆへ向かって）次第に小さくなっているものとしたが、これに限られるものではない。
【０１１４】
例えば、図１３に示すように、板部材４３の周方向寸法は、図１３における−Ｙ側の辺４３ｃから＋Ｙ側の辺４３ｄに至るまで、一定になっていてもよい。すなわち、−Ｙ側の辺４３ｃの寸法ｐ１が＋Ｙ側の辺４３ｄの寸法ｐ２′と等しくてもよい。図１３中の各要素の符号は、図１０中の各要素の符号に含まれた４０を４３に変更して示している。これにより、重複した説明を省略する。なお、図２０は、この板部材４３を含むカフ２０が手首９０に装着された状態の横断面を模式的に示している。また、図２２は、この板部材４３を含むカフ２０が手首９０に装着された状態で、その板部材４３が設けられた側から見たときの態様を模式的に示している。
【０１１５】
この板部材４３の構成は、周方向寸法が一定でである点を除いて、図１０に示した板部材４０の構成と同じになっている。特に、板部材４３の主部４３Ｍの厚さは、−Ｙ側から＋Ｙ側へ向かって（すなわち、図２２における肘側９０ｅから手側９０ｆへ向かって）次第に薄くなっている。したがって、このカフ２０が肘側９０ｅから手側９０ｆへ向かって位置ずれするのを防止できる。また、板部材の周方向寸法が肘側９０ｅから手側９０ｆへ向かって次第に小さくなっている場合に比して、板部材４３を容易に製造可能となる。
【０１１６】
なお、この板部材４３に上述の板部材４２の要素を取り込んで、板部材４３の構成を被測定部位（手首９０）の周方向に関して平坦であるものとしてもよい。そのようにした場合、板部材４３をさらに容易に製造可能となる。
【０１１７】
上の各例では、板部材４０，４１，４２，４３の材料は、弾性を有するプラスチック材料（例えば、ＡＢＳ樹脂）であるものとしたが、これに限られるものではない。例えば、板部材の材料をゴムやエラストマとしてもよい。
【０１１８】
以上の実施形態は例示であり、この発明の範囲から離れることなく様々な変形が可能である。
【符号の説明】
【０１１９】
１  血圧計
１０  本体
２０  カフ
４０，４１，４２，４３  板部材
４９  連結板
【図１】
2015123356.tif 000003
【図２】
2015123356.tif 000004
【図３】
2015123356.tif 000005
【図４】
2015123356.tif 000006
【図５】
2015123356.tif 000007
【図６】
2015123356.tif 000008
【図７】
2015123356.tif 000009
【図８】
2015123356.tif 000010
【図９】
2015123356.tif 000011
【図１０】
2015123356.tif 000012
【図１１】
2015123356.tif 000013
【図１２】
2015123356.tif 000014
【図１３】
2015123356.tif 000015
【図１４】
2015123356.tif 000016
【図１５】
2015123356.tif 000017
【図１６】
2015123356.tif 000018
【図１７】
2015123356.tif 000019
【図１８】
2015123356.tif 000020
【図１９】
2015123356.tif 000021
【図２０】
2015123356.tif 000022
【図２１】
2015123356.tif 000023
【図２２】
2015123356.tif 000024
【図２３】
2015123356.tif 000025
【図２４】
2015123356.tif 000026